(57)【要約】【課題】あらかじめ用意された複数種類のアイコンの中から何れかをユーザが表示用に選択して登録する際の手間を軽減できるようにする。【解決手段】アイコンの図柄を表面に表すとともに、１以上の凸部を裏面に形成したタッチ用部材１００と、タッチパネル２０２に対する押下状態の検出結果に応じて、複数種類のアイコンの中から何れかを選択して登録する処理を行う処理装置３００とを備え、処理装置３００は、タッチ用部材１００の１以上の凸部による押下位置の配置関係と同じ配置パターンに関連付けて記憶されたアイコンを特定し、それを表示用として登録することにより、ユーザは、登録したいアイコンの図柄が表されたタッチ用部材１００を用いて、凸部が形成された面をタッチパネル２０２に押下する操作を行うだけで、その凸部の配置パターンに関連付けて記憶されたアイコンが自動的に選択されて登録されるようにする。【選択図】図１
2018018360.tif 000002
【特許請求の範囲】
【請求項１】
あらかじめ用意された複数種類のアイコンの中から何れかをユーザが表示用に選択して登録するためのシステムであって、
上記アイコンの図柄または内容を一面に表すとともに、１以上の凸部を一面に形成したタッチ用部材と、
複数箇所の同時押下状態を検出可能なタッチパネルを備えたディスプレイと、
上記タッチパネルに対する押下状態の検出結果に応じて、上記複数種類のアイコンの中から何れかを選択して登録する処理を行う処理装置とを備え、
上記タッチ用部材は、あらかじめ決められた複数の固定位置における上記凸部の有無により、上記アイコンの種類に応じた上記凸部の配置パターンを形成しており、
上記処理装置は、
上記タッチ用部材に形成された上記１以上の凸部の配置パターンと上記アイコンとの関連情報を記憶した関連情報記憶部と、
上記タッチ用部材の上記１以上の凸部によって上記タッチパネルに対する押下が行われたときの１以上の押下位置を検出する押下位置検出部と、
上記押下位置検出部により検出された上記１以上の押下位置の配置関係をもとに、上記関連情報記憶部を参照し、上記１以上の押下位置の配置関係と同じ配置パターンに関連付けられたアイコンを特定するアイコン特定部と、
上記アイコン特定部により特定されたアイコンを表示用に登録するアイコン登録部とを備えたことを特徴とする表示アイコン登録システム。
【請求項２】
上記処理装置は、指定された患者に関する患者情報を上記ディスプレイに表示させる患者情報表示部を更に備え、
上記押下位置検出部は、上記ディスプレイに上記患者情報が表示されている状態で、上記タッチ用部材の上記１以上の凸部によって上記タッチパネルに対する押下が行われたときの１以上の押下位置を検出し、  
上記アイコン登録部は、上記アイコン特定部により特定されたアイコンを、上記ディスプレイに表示されている患者に関連付けて登録することを特徴とする請求項１に記載の表示アイコン登録システム。
【請求項３】
上記患者情報表示部は、上記指定された患者に関連付けて登録されているアイコンを上記患者情報と共に上記ディスプレイに表示させることを特徴とする請求項２に記載の表示アイコン登録システム。
【請求項４】
上記処理装置は、固定の所定領域を上記タッチ用部材の操作位置として設定する操作位置設定部を更に備え、
上記押下位置検出部は、上記操作位置設定部により設定された上記操作位置において、上記タッチ用部材の上記１以上の凸部によって上記タッチパネルに対する押下が行われたときの１以上の押下位置を検出することを特徴とする請求項１に記載の表示アイコン登録システム。
【請求項５】
上記処理装置は、指定された患者に関する患者情報を表す画面で、タッチ入力可能な操作ボタンを含まない画面を上記ディスプレイに表示させる患者情報表示部を更に備え、
上記操作位置設定部は、上記患者情報表示部により表示された上記患者情報を表す画面上における固定の所定領域を上記タッチ用部材の操作位置として設定することを特徴とする請求項４に記載の表示アイコン登録システム。
【請求項６】
上記アイコン登録部は、上記アイコン特定部により特定されたアイコンを、上記ディスプレイに上記患者情報が表示されている患者に関連付けて登録することを特徴とする請求項５に記載の表示アイコン登録システム。
【請求項７】
上記タッチ用部材は、上記アイコンの種類によらず、上記複数の固定位置のうち所定位置には必ず上記凸部が形成されており、
上記関連情報記憶部は、上記タッチ用部材の上記複数の固定位置のうち、上記所定位置を除く他の固定位置に形成された１以上の凸部の配置パターンと上記アイコンとの関連情報を記憶し、
上記押下位置検出部は、上記タッチパネル上の任意の位置において、上記タッチ用部材の上記１以上の凸部によって上記タッチパネルに対する押下が行われたときの１以上の押下位置を検出し、
上記アイコン特定部は、上記タッチ用部材の上記所定位置における凸部による押下位置に対する他の固定位置における凸部による押下位置の相対的な配置関係をもとに、上記関連情報記憶部を参照し、上記他の固定位置における凸部による押下位置の配置関係と同じ配置パターンに関連付けられたアイコンを特定することを特徴とする請求項１に記載の表示アイコン登録システム。
【請求項８】
上記処理装置は、指定された患者に関する患者情報を表す画面で、タッチ入力可能な操作ボタンを含まない画面を上記ディスプレイに表示させる患者情報表示部を更に備え、
上記押下位置検出部は、上記患者情報を表す画面上の任意の位置において、上記タッチ用部材の上記１以上の凸部によって上記タッチパネルに対する押下が行われたときの１以上の押下位置を検出することを特徴とする請求項７に記載の表示アイコン登録システム。
【請求項９】
上記アイコン登録部は、上記アイコン特定部により特定されたアイコンを、上記ディスプレイに上記患者情報が表示されている患者に関連付けて登録することを特徴とする請求項８に記載の表示アイコン登録システム。
【発明の詳細な説明】
【技術分野】
【０００１】
本発明は、表示アイコン登録システムに関し、特に、あらかじめ用意された複数種類のアイコンの中から何れかをユーザが表示用に選択して登録するためのシステムに用いて好適なものである。
【背景技術】
【０００２】
一般に、ディスプレイの画面上の限られた表示スペース内に複数種類の情報を表示させようとする場合に、アイコンを表示することが行われている。アイコンは、伝えようとする情報の内容を、簡単な記号や文字、絵柄などで簡略化してグラフィック表現したものである。例えば、病院等で使用される電子カルテシステムやナースコールシステムにおいて、患者情報を表示する際に、患者の様々な属性や状態、注意事項等を表示するためにアイコンが用いられている（例えば、特許文献１，２に参照）。
【０００３】
特許文献１に記載の医療情報管理システムでは、患者の名前を含む識別情報の表示欄を画面に形成させるとともに、識別情報に用いられない患者の付加情報をアイコン形式にて識別情報表示欄に表示させるようにしている。具体的には、受付、検査、診察、会計等の診療に関する各画面において、選択された患者の付加情報を表す情報アイコンが表示されるようになっている。情報アイコンの例として、患者メモアイコン、身体情報アイコン、初診日一覧アイコン、アレルギー他情報アイコン、病歴アイコンが記載されている。
【０００４】
また、特許文献２の図５には、図４に示すような患者一覧画面中における１つの患者表示エリアに、患者の顔画像と氏名の他に、患者の状態等を表した各種のアイコンを表示することが示されている。
【先行技術文献】
【特許文献】
【０００５】
【特許文献１】特開２００６−３３８５２１号公報
【特許文献２】特開２００５−２３７６６７号公報
【発明の概要】
【発明が解決しようとする課題】
【０００６】
上記特許文献１，２に記載の技術によれば、様々な情報をアイコンの表示によってユーザに分かりやすく伝えることが可能である。しかしながら、あらかじめ用意されているアイコンの種類が多数であると、その中から所望のものを表示用に選択して登録するのに手間がかかるという問題が生じる。すなわち、ユーザは、アイコンの登録開始を指示する操作を行った後、多種類のアイコンの一覧画面から所望のアイコンを探し、見つけたアイコンを選択して登録の実行を指示する操作を行わなければならない。
【０００７】
特に、特許文献１，２に記載されたシステムでは、多種類あるアイコンの中から患者の状態等に合わせたアイコンを患者毎に選択して登録する必要があり、しかも１人の患者に対して複数のアイコンを登録するのが普通である。そのため、上述した一連の操作を患者毎に行う必要があり、アイコンの登録に多くの時間がかかってしまうという問題があった。
【０００８】
本発明は、このような問題を解決するために成されたものであり、あらかじめ用意された複数種類のアイコンの中から何れかをユーザが表示用に選択して登録する際の手間を軽減できるようにすることを目的とする。
【課題を解決するための手段】
【０００９】
上記した課題を解決するために、本発明では、アイコンの図柄または内容を一面に表すとともに、１以上の凸部を一面に形成したタッチ用部材と、複数箇所の同時押下状態を検出可能なタッチパネルを備えたディスプレイと、タッチパネルに対する押下状態の検出結果に応じて、複数種類のアイコンの中から何れかを選択して登録する処理を行う処理装置とを備える。タッチ用部材は、あらかじめ決められた複数の固定位置における凸部の有無により、アイコンの種類に応じた凸部の配置パターンを形成している。処理装置では、タッチ用部材の１以上の凸部による押下位置の配置関係と同じ配置パターンに関連付けて記憶されたアイコンを特定し、それを表示用として登録するようにしている。
【発明の効果】
【００１０】
上記のように構成した本発明によれば、ユーザは、登録したいアイコンの図柄または内容が一面に表されたタッチ用部材を用いて、凸部が形成された一面をタッチパネルに押下する操作を行うだけで、その凸部の配置パターンに基づいて、その配置パターンに関連付けて記憶されたアイコンが自動的に選択されて登録されるようになる。これにより、あらかじめ用意された複数種類のアイコンの中から何れかをユーザが表示用に選択して登録する際の手間を大幅に軽減することができる。
【図面の簡単な説明】
【００１１】
【図１】第１の実施形態による表示アイコン登録システムの構成例を示す図である。
【図２】第１の実施形態によるタッチ用部材の構成例を示す図である。
【図３】第１の実施形態による処理装置の機能構成例を示すブロック図である。
【図４】患者情報表示部により表示される表示画面の一例を示す図である。
【図５】第１の実施形態による操作位置設定部により設定される操作位置の一例を示す図である。
【図６】第２の実施形態による表示アイコン登録システムの構成例を示す図である。
【図７】第２の実施形態によるタッチ用部材において必ず設けられる凸部の位置の一例を示す図である。
【図８】第２の実施形態による処理装置の機能構成例を示すブロック図である。
【図９】第２の実施形態によるアイコン特定部が仮想する矩形領域の例を示す図である。
【発明を実施するための形態】
【００１２】
（第１の実施形態）
以下、本発明の第１の実施形態を図面に基づいて説明する。図１は、第１の実施形態による表示アイコン登録システムの構成例を示す図である。第１の実施形態による表示アイコン登録システムは、あらかじめ用意された複数種類のアイコンの中から何れかをユーザが表示用に選択して登録するためのシステムである。図１に示すように、表示アイコン登録システムは、タッチ用部材１００、タッチパネル付きディスプレイ２００および処理装置３００を備えて構成されている。
【００１３】
タッチ用部材１００は、アイコンの図柄または内容を一面に表すとともに、１以上の凸部を一面に形成したタッチ操作用の部材である。図２は、このタッチ用部材１００の構成例を示す図である。図２の例では、タッチ用部材１００は四角形状をした所定厚のプレートにより構成されており、その表面に、アイコンの図柄または内容を表すとともに（図２（ａ）参照）、１以上の凸部を裏面に形成している（図２（ｂ）参照）。
【００１４】
タッチ用部材１００の裏面は、あらかじめ決められた複数の固定位置における凸部の有無により、表面に表されたアイコンの種類に応じた凸部の配置パターンを形成している。第１の実施形態では、図２（ｃ）に示すように６箇所に固定位置を設定し、各箇所における凸部の有無により、アイコンの種類に応じた凸部の配置パターンを形成している。図２（ａ）、（ｂ）の例では、「禁忌薬品あり」という種類のアイコンに対応したと凸部の配置パターンとして、１番、２番、４番、６番の位置に凸部を設けている。
【００１５】
タッチパネル付きディスプレイ２００は、ディスプレイ２０１の上にタッチパネル２０２を重ねて構成したものである。タッチパネル２０２は、複数箇所の同時押下状態を検出可能なものである。すなわち、タッチ用部材１００の裏面をタッチパネル２０２に押し付けたときに、タッチパネル２０２は、タッチ用部材１００の裏面に形成されている１以上の凸部による押下位置をそれぞれ検出することが可能である。
【００１６】
処理装置３００は、タッチパネル２０２に対する押下状態の検出結果に応じて、複数種類のアイコンの中から何れかを選択して登録する処理を行う。この処理装置３００は、タッチパネル付きディスプレイ２００を備えた端末であってもよいし、当該端末にネットワーク接続された外部端末であってもよい。例えば、タッチパネル付きディスプレイ２００を備えた端末がナースコール親機の場合、処理装置３００は、ナースコール親機自身であってもよいし、これに接続された制御機またはサーバであってもよい。
【００１７】
図３は、第１の実施形態による処理装置３００の機能構成例を示すブロック図である。図３に示すように、第１の実施形態による処理装置３００は、その機能構成として、押下位置検出部１１、アイコン特定部１２、アイコン登録部１３、患者情報表示部１４および操作位置設定部１５を備えている。また、処理装置３００は、記憶媒体として、関連情報記憶部２１および患者情報記憶部２２を備えている。
【００１８】
上記各機能ブロック１１〜１５は、ハードウェア、ＤＳＰ（Digital Signal Processor）、ソフトウェアの何れによっても構成することが可能である。例えばソフトウェアによって構成する場合、上記各機能ブロック１１〜１５は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００１９】
関連情報記憶部２１は、タッチ用部材１００の裏面に形成された１以上の凸部の配置パターンとアイコンとの関連情報を記憶している。例えば、図２（ａ）に示す「禁忌薬品あり」という種類のアイコンと、図２（ｂ）に示す凸部の配置パターンとを関連付ける情報が関連情報の１つとして関連情報記憶部２１に記憶されている。図２（ｃ）のように凸部の固定位置を６箇所に設定する場合、全部で６４パターンの組み合わせがあることから、関連情報記憶部２１は、最大で６４個の関連情報を記憶する。
【００２０】
患者情報記憶部２２は、患者に関する種々の情報を記憶する。患者情報記憶部２２に記憶する患者情報は、例えば、患者の氏名、年齢、性別、入室している部屋の部屋番号とベッド番号などを含む。また、後述するように登録されたアイコンを特定するための情報（アイコンの識別情報、またはアイコンそのものであってもよい）も、患者情報に関連付けて患者情報記憶部２２に記憶される。
【００２１】
押下位置検出部１１は、タッチ用部材１００の裏面に形成された１以上の凸部によってタッチパネル２０２に対する押下が行われたときの１以上の押下位置を検出する。
【００２２】
アイコン特定部１２は、押下位置検出部１１により検出された１以上の押下位置の配置関係をもとに、関連情報記憶部２１に記憶されている関連情報を参照し、１以上の押下位置の配置関係と同じ配置パターンに関連付けられたアイコンを特定する。
【００２３】
例えば、図２に示すタッチ用部材１００を用いてタッチパネル２０２に対するタッチ操作を行った場合、押下位置検出部１１は、図２（ｂ）に示す４つの凸部による押下位置を検出する。この場合、アイコン特定部１２は、この４つの押下位置の配置関係と同じ凸部の配置パターンを有する関連情報を関連情報記憶部２１の中から抽出し、その関連情報で示される配置パターンに関連付けて記憶されているアイコンを特定する。
【００２４】
アイコン登録部１３は、アイコン特定部１２により特定されたアイコンを表示用に登録する。例えば、患者情報記憶部２２に記憶されている患者情報をディスプレイ２０１に表示するときに、患者の氏名、部屋番号、ベッド番号などと共に表示するための情報として、アイコン特定部１２により特定されたアイコンを患者情報記憶部２２に登録する。この場合、アイコン登録部１３は、アイコン特定部１２により特定されたアイコンを、何れかの患者に関連付けて登録する必要がある。
【００２５】
登録するアイコンを関連付ける患者の指定方法として、様々な方法を適用することが可能である。例えば、ディスプレイ２０１に患者一覧を表示して、その中から何れかをユーザに指定させる方法がある。より具体的な例として、ナースコール親機の待機画面として表示されている患者一覧の中から何れかの患者を選択することにより、登録するアイコンに対して関連付ける患者を指定するようにすることが可能である。
【００２６】
患者情報表示部１４は、患者情報記憶部２２に記憶されている患者情報をディスプレイ２０１に表示させる。図４は、患者情報表示部１４により表示される表示画面の一例を示す図である。患者情報表示部１４は、患者情報記憶部２２に記憶されている患者情報に基づいて、図４（ａ）に示すような待機画面をディスプレイ２０１に表示させる。この待機画面では、複数の患者に関する簡易的な情報が一覧として表示されている。
【００２７】
また、患者情報表示部１４は、待機画面に表示された患者一覧の中から何れかの患者を指定するタッチ操作が行われたときに、図４（ｂ）に示すように、当該指定された患者に関する患者情報をディスプレイ２０１に拡大してポップアップ表示させる。このときポップアップ表示する患者情報は、待機画面の一覧中には表示されていない情報（患者情報記憶部２２に記憶されている患者情報、あるいは、患者情報に関連付けて看護師情報記憶部（図示せず）に記憶されている担当看護師の情報など）を含んでいてもよい。このポップアップ画面は、タッチ入力可能な操作ボタンを含まない画面である。
【００２８】
図４（ｂ）に示すように、患者情報のポップアップ画面には、患者情報表示欄４１とアイコン表示欄４２とが設けられている。すなわち、患者情報表示部１４は、待機画面において指定された患者の患者情報を患者情報表示欄４１に表示するとともに、当該指定された患者に関連付けて登録されているアイコンをアイコン表示欄４２に表示する。なお、患者情報表示部１４は、図４（ａ）に示す待機画面においても同様に、患者一覧の１つ１つに対して、それぞれの患者に関連付けて登録されているアイコンを表示させるようにしてもよい。
【００２９】
上述の押下位置検出部１１は、ディスプレイ２０１に一の患者情報が表示されている状態、すなわち、図４（ｂ）のように、指定された患者のポップアップ画面が表示されている状態で、当該ポップアップ画面上においてタッチ用部材１００の１以上の凸部によってタッチパネル２０２に対する押下が行われたときの１以上の押下位置を検出する。すなわち、患者情報表示部１４により一の患者情報がポップアップ表示されたときに、アイコン登録モードが設定され、その状態で押下位置検出部１１が１以上の凸部による押下位置を検出する。
【００３０】
操作位置設定部１５は、アイコン登録モードの設定に応じて、固定の所定領域をタッチ用部材１００の操作位置として設定する。ここで、固定の所定領域とは、患者情報のポップアップ画面上において固定された領域のことである。図５は、操作位置設定部１５により設定される操作位置の一例を示す図である。図５の例では、ポップアップ画面の左下の隅に、タッチ用部材１００の裏面とほぼ同形同大の操作位置５１が設定されている。
【００３１】
なお、ディスプレイ２０１の表示画面全体の中で、ポップアップ画面が常に固定の位置に表示される場合は、操作位置５１は常にタッチパネル２０２の固定位置に設定される。一方、ディスプレイ２０１の表示画面全体の中で、ポップアップ画面が可変の位置に表示される場合、例えば、待機画面において指定された患者情報の表示位置に応じてポップアップ画面の表示位置も変わるように場合、操作位置設定部１５は、可変の位置に表示されたポップアップ画面の中の固定位置（例えば、左下隅の位置）に操作位置５１を設定する。
【００３２】
ユーザは、図５のように設定された操作位置５１にタッチ用部材１００の裏面を押し付けることにより、アイコンの登録を行う。この場合、押下位置検出部１１は、操作位置設定部１５により設定された操作位置５１において、タッチ用部材１００の１以上の凸部によってタッチパネル２０２に対する押下が行われたときの１以上の押下位置を検出する。アイコン登録部１３は、押下位置検出部１１による押下位置の検出結果に基づいてアイコン特定部１２により特定されたアイコンを、ポップアップ画面に表示されている患者の患者情報に関連付けて患者情報記憶部２２に登録する。
【００３３】
以上詳しく説明したように、第１の実施形態によれば、ユーザは、登録したいアイコンの図柄または内容が表面に表されたタッチ用部材１００を用いて、凸部が形成された裏面をタッチパネル２０２に押下する操作を行うだけで、その凸部の配置パターンに基づいて、その配置パターンに関連付けて関連情報記憶部２１に記憶されたアイコンが自動的に選択されて登録されるようになる。これにより、あらかじめ用意された複数種類のアイコンの中から何れかをユーザが表示用に選択して登録する際の手間を大幅に軽減することができる。
【００３４】
また、第１の実施形態では、所定の固定領域に操作位置５１を設定し、この操作位置５１においてタッチ用部材１００によるタッチ操作を受け付けるようにしている。このため、押下位置検出部１１は凸部の押下位置を確実に検出し、アイコン特定部１２はその押下位置の配置関係を正確に捉えて、対応するアイコンを確実に特定することができる。
【００３５】
また、第１の実施形態では、患者一覧が表示された待機画面から何れかの患者を指定したときに表示される患者情報のポップアップ画面上でタッチ用部材１００を操作することにより、タッチ用部材１００で指定されたアイコンを患者に関連付けて登録するようにしている。これにより、登録するアイコンと、そのアイコンを表示させる患者情報との関連付けを簡単に行うことができる。
【００３６】
なお、上記第１の実施形態では、患者情報表示部１４により一の患者情報がポップアップ表示されたときにアイコン登録モードを自動的に設定する例について説明したが、本発明はこれに限定されない。例えば、患者情報表示部１４により一の患者情報がポップアップ表示された後、ポップアップ画面上に設けたアイコン追加ボタンをユーザが操作したときに、アイコン登録モードを設定するようにしてもよい。
【００３７】
この場合、アイコン追加ボタンの操作によってアイコン登録モードが設定されたときに、ポップアップ画面上の操作位置５１に枠線などを表示して、操作位置５１を可視化して表示させるようにしてもよい。このようにすれば、タッチ用部材１００の操作位置５１がユーザに明示的に示されるので、タッチ用部材１００を正しい位置で正しい向きに操作することがより確実にできるようになる。
【００３８】
なお、アイコン追加ボタンの操作によってアイコン登録モードが設定されたときに、患者情報のポップアップ画面とは別に専用の操作画面を表示させるようにしてもよい。例えば、この専用の操作画面をタッチ用部材１００の裏面とほぼ同形同大の画面としたり、タッチ用部材１００の裏面とほぼ同形同大の枠を操作画面内に表示したりすることにより、タッチ用部材１００を正しい位置で正しい向きに操作することがより確実にできるようになる。
【００３９】
（第２の実施形態）
次に、本発明の第２の実施形態を図面に基づいて説明する。第２の実施形態は、タッチパネル２０２上の任意の位置でタッチ用部材１００を操作できるようにするものである。図６は、第２の実施形態による表示アイコン登録システムの構成例を示す図である。図６に示すように、第２の実施形態による表示アイコン登録システムは、タッチ用部材１００および処理装置３００に代えて、タッチ用部材１００’および処理装置３００’を備えている。
【００４０】
第２の実施形態によるタッチ用部材１００’は、アイコンの種類によらず、複数の固定位置のうち所定位置には必ず凸部が形成されたものとなっている。例えば、図７に示すように、６箇所の固定位置のうち、対角状にある１番と６番の位置には必ず凸部があり、残りの２〜５番の位置における凸部の有無により、タッチ用部材１００’の表面に表されたアイコンの種類に応じた凸部の配置パターンを形成している。
【００４１】
なお、この場合、２〜５番の位置における凸部の有無による組み合わせは１６パターンとなるため、最大で１６種類のアイコンしか表現できないことになる。そこで、これより多くの種類のアイコンを表現するために、６箇所より多くの固定位置によって凸部の配置パターンを形成するようにしてもよい。例えば、縦３×横３の９箇所を固定位置として設定し、対角状にある１番と９番の位置に必ず凸部を設けることにより、残りの２〜８番の位置における凸部の有無によって最大で１２８種類のアイコンを表現することが可能となる。
【００４２】
図８は、第２の実施形態による処理装置３００’の機能構成例を示すブロック図である。なお、この図８において、図３に示した符号と同一の符号を付したものは同一の機能を有するものであるので、ここでは重複する説明を省略する。図８に示すように、第２の実施形態による処理装置３００’は、押下位置検出部１１、アイコン特定部１２および関連情報記憶部２１に代えて、押下位置検出部１１’、アイコン特定部１２’および関連情報記憶部２１’を備えている。また、第２の実施形態では、操作位置設定部１５を備えていない。
【００４３】
関連情報記憶部２１’は、タッチ用部材１００の裏面に設定された６箇所の固定位置のうち、必ず凸部が設けられる所定位置を除く他の位置に形成される１以上の凸部の配置パターンとアイコンとの関連情報を記憶している。上述のように、２〜５番の位置における凸部の有無による組み合わせは１６パターンとなるため、関連情報記憶部２１’は、最大で１６個の関連情報を記憶する。
【００４４】
押下位置検出部１１’は、タッチパネル２０２上の任意の位置において、タッチ用部材１００’の１以上の凸部によってタッチパネル２０２に対する押下が行われたときの１以上の押下位置を検出する。具体的には、押下位置検出部１１’は、図４（ｂ）に示す患者情報のポップアップ画面上における任意の位置において、タッチ用部材１００’の凸部による１以上の押下位置を検出する。
【００４５】
アイコン特定部１２’は、タッチ用部材１００’に対して必ず設けられた所定位置（図７の例では１番と６番の位置）における凸部による押下位置に対する他の固定位置（２番〜５番の位置）における凸部による押下位置の相対的な配置関係をもとに、関連情報記憶部２１’を参照し、他の固定位置における凸部による押下位置の配置関係と同じ配置パターンに関連付けられたアイコンを特定する。
【００４６】
具体的には、アイコン特定部１２’は、対角状に必ず検出される２箇所の凸部の押下位置をもとに、当該２箇所を対角とする矩形領域を仮想し、当該矩形領域を縦３×横２の６個の領域に分割する。図９は、この領域の仮想設定例を示す図である。図９は、タッチパネル２０２上の任意の位置で、少し傾いた状態でタッチ用部材１００’を押下したときの様子を示している。この場合、アイコン特定部１２’は、１番と６番の位置における凸部の押下位置を対角とする矩形領域９１を仮想し、当該矩形領域９１を縦３×横２の６個の領域に分割する。
【００４７】
そして、アイコン特定部１２’は、上記２つの押下位置以外の押下位置が、６分割した領域のどこに該当するかを判定することにより、２番〜５番の位置における凸部による押下位置の相対的な配置関係を検出することが可能である。アイコン特定部１２’は、検出した配置関係と同じ凸部の配置パターンを有する関連情報を関連情報記憶部２１’の中から抽出し、その関連情報で示される配置パターンに関連付けて記憶されているアイコンを特定する。
【００４８】
なお、上記第１の実施形態では、患者情報表示部１４によりディスプレイ２０１に患者情報のポップアップ画面が表示されたときに、操作位置設定部１５がポップアップ画面上に操作位置５１を設定したが、第２の実施形態において操作位置５１の設定は不要である。すなわち、第２の実施形態では、患者情報表示部１４によりディスプレイ２０１に患者情報のポップアップ画面が表示されたとき（または、その後でアイコン追加ボタンが操作されたとき）にアイコン登録モードとなり、押下位置検出部１１’により検出された押下位置に基づいて、アイコン特定部１２’が上述の動作によりアイコンの特定を行う。
【００４９】
以上詳しく説明したように、第２の実施形態によれば、患者情報のポップアップ画面上における任意の位置にタッチ用部材１００’を押し付けてアイコンの登録を行うことができるので、ユーザ操作の自由度を高くすることができる。
【００５０】
なお、上記第１および第２の実施形態では、指定された患者の患者情報をポップアップ画面により表示する例について説明したが、本発明はこれに限定されない。例えば、ディスプレイ２０１のサイズがあまり大きくないような場合には、患者一覧画面から一の患者に関する患者情報画面に切り替えて表示するようにしてもよい。
【００５１】
また、上記第１および第２の実施形態では、アイコンの図柄または内容をタッチ用部材１００，１００’の表面に表すとともに、１以上の凸部を裏面に形成する例について説明したが、本発明はこれに限定されない。例えば、アイコンの図柄または内容を表した面と、１以上の凸部を形成した面とを同じとしてもよい。
【００５２】
また、上記第１および第２の実施形態では、患者情報と共に表示させるアイコンを登録する例について説明したが、本発明はこれに限定されない。適用するシステムもナースコールシステム等に限定されない。すなわち、多種類のアイコンをユーザが選択して表示用に登録可能なシステムであれば、何れにも本発明を適用することが可能である。
【００５３】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００５４】
１１，１１’  押下位置検出部
１２，１２’  アイコン特定部
１３  アイコン登録部
１４  患者情報表示部
１５  操作位置設定部
２１，２１’  関連情報記憶部
２２  患者情報記憶部
１００，１００’  タッチ用部材
２００  タッチパネル付きディスプレイ
２０１  ディスプレイ
２０２  タッチパネル
３００，３００’  処理装置
【図１】
2018018360.tif 000003
【図２】
2018018360.tif 000004
【図３】
2018018360.tif 000005
【図４】
2018018360.tif 000006
【図５】
2018018360.tif 000007
【図６】
2018018360.tif 000008
【図７】
2018018360.tif 000009
【図８】
2018018360.tif 000010
【図９】
2018018360.tif 000011